(57)【要約】【課題】配光分布及び輝度分布を容易に制御すること。【解決手段】実施形態の面状照明装置は、入射された光を出射する出射面を有し、前記出射面に複数の第１のプリズムが第１の方向に形成されるライトバーと、前記ライトバーに入射される光を発する光源と、入光面に入射された光を出射面に導光する導光板と、前記ライトバーの出射面と前記導光板の入光面との間に配置され、前記ライトバーの出射面と対向する一面に、前記第１の方向と交差する第２の方向に複数の第２のプリズムが並んで形成されるプリズムシートと、を備える。【選択図】図４
2018055867.tif 000002
【特許請求の範囲】
【請求項１】
入射された光を出射する出射面を有し、前記出射面に複数の第１のプリズムが第１の方向に形成されるライトバーと、
前記ライトバーに入射される光を発する光源と、
入光面に入射された光を出射面に導光する導光板と、
前記ライトバーの出射面と前記導光板の入光面との間に配置され、前記ライトバーの出射面と対向する一面に、前記第１の方向と交差する第２の方向に複数の第２のプリズムが並んで形成されるプリズムシートと、
を備える、面状照明装置。
【請求項２】
複数の前記光源が、前記ライトバーの両側に配置され、
前記第２のプリズムは、前記第２の方向における前記プリズムシートの端から中心に向かうにつれて、前記プリズムシートの前記一面とは反対側の面に対して当該面から離れる方向に傾斜している第１領域に、当該面に対して当該面に近づく方向に傾斜している第２領域が連続するプリズムであり、
前記第２の方向における前記一面の中央部に形成された第２のプリズムの第１領域の前記面に対する傾斜角度は、前記第２の方向における前記一面の端部に形成された第１領域の前記面に対する傾斜角度よりも小さく、
前記中央部に形成された第２のプリズムの形状は、前記第２の方向における前記一面の中心を通る線分であって、前記第１の方向及び前記第２の方向と交差する第３の方向に沿う線分に対して、線対称となる、請求項１に記載の面状照明装置。
【請求項３】
前記複数の第２のプリズムの形状は、前記第２の方向における前記一面の中心を通る線分であって、前記第１の方向及び前記第２の方向と交差する第３の方向に沿う線分に対して、線対称となる、請求項１又は２に記載の面状照明装置。
【請求項４】
前記プリズムシートの前記一面とは反対側の面には、前記第２の方向に、複数の凸レンズが並んで設けられる、請求項１〜３のいずれか１つに記載の面状照明装置。
【請求項５】
前記導光板の出射面と反対側の面には、前記導光板の出射面との成す角の角度が０度以上４度以下となる第３領域に、前記導光板の出射面に対して傾斜する第４領域が連続する第３のプリズムが、前記第１の方向及び前記第２の方向と交差する第３の方向に並んで形成される、請求項１〜４のいずれか１つに記載の面状照明装置。
【請求項６】
前記ライトバーの出射面とは反対側の面には、前記第２の方向における前記ライトバーの端から中心に向かうにつれて、前記ライトバーの出射面に対して前記ライトバーの出射面から離れる方向に傾斜している第５領域に、前記ライトバーの出射面に対して前記ライトバーの出射面に近づく方向に傾斜している第６領域が連続する第４のプリズムが前記第２の方向に並んで形成され、
前記ライトバーの中心における前記第４のプリズムの前記第６領域と前記プリズムシートの前記一面とは反対側の面との成す角の角度は、前記ライトバーの端における前記第４のプリズムの前記第６領域と前記プリズムシートの前記一面とは反対側の面との成す角の角度よりも大きい、請求項１〜５のいずれか１つに記載の面状照明装置。
【発明の詳細な説明】
【技術分野】
【０００１】
本発明は、面状照明装置に関する。
【背景技術】
【０００２】
従来から、自動車のハイマウントストップランプ等の車載標識ランプに用いられる面状照明装置が提供されている。このような面状照明装置では、例えば、光源、ミラー及びレンズが用いられる。
【先行技術文献】
【特許文献】
【０００３】
【特許文献１】特開２０１５−１７９６０３号公報
【発明の概要】
【発明が解決しようとする課題】
【０００４】
ここで、面状照明装置において、透光性を維持しつつ、配光分布及び輝度分布を制御することは、困難である。
【０００５】
本発明は、上記に鑑みてなされたものであって、配光分布及び輝度分布を容易に制御することができる面状照明装置を提供することを目的とする。
【課題を解決するための手段】
【０００６】
上述した課題を解決し、目的を達成するために、本発明の一態様に係る面状照明装置は、入射された光を出射する出射面を有し、前記出射面に複数の第１のプリズムが第１の方向に形成されるライトバーと、前記ライトバーに入射される光を発する光源と、入光面に入射された光を出射面に導光する導光板と、前記ライトバーの出射面と前記導光板の入光面との間に配置され、前記ライトバーの出射面と対向する一面に、前記第１の方向と交差する第２の方向に複数の第２のプリズムが並んで形成されるプリズムシートと、を備える。
【発明の効果】
【０００７】
本発明の一態様によれば、配光分布及び輝度分布を容易に制御することができる。
【図面の簡単な説明】
【０００８】
【図１】図１は、第１の実施形態に係る面状照明装置の正面図である。
【図２】図２は、図１におけるＡ−Ａ線の断面図である。
【図３】図３は、第１の実施形態に係るライトバーを説明するための図である。
【図４】図４は、第１部分及び第２部分の一部の拡大図である。
【図５】図５は、第１の実施形態に係るライトバーの出射面とは反対側の面に形成される第４のプリズムを説明するための図である。
【図６】図６は、第１の実施形態に係るライトバーの出射面とは反対側の面に形成される第４のプリズムを説明するための図である。
【図７】図７は、第１の実施形態に係るライトバーの出射面に形成される第１のプリズムを説明するための図である。
【図８Ａ】図８Ａは、第１の実施形態に係るプリズムシートについて説明するための図である。
【図８Ｂ】図８Ｂは、第１の実施形態に係るプリズムシートについて説明するための図である。
【図９】図９は、第１の実施形態に係るプリズムシートについて説明するための図である。
【図１０】図１０は、第１の実施形態に係る導光板について説明するための図である。
【図１１】図１１は、第１の実施形態に係る導光板について説明するための図である。
【図１２】図１２は、第１の実施形態に係る導光板について説明するための図である。
【図１３】図１３は、第１の実施形態に係る導光板について説明するための図である。
【図１４】図１４は、第１の実施形態に係る導光板について説明するための図である。
【図１５】図１５は、第１のシミュレーション結果と、式（３）により算出された各配置角度及び各配置角度に対応する各プリズム角度との関係を示す図である。
【図１６】図１６は、導光板の出射面全体から均一に光を出射させる場合の導光板の厚さと、出射角度と、導光板の屈折率と、距離との関係について説明するための図である。
【図１７】図１７は、第２のシミュレーションから得られた配光分布のグラフを示す図である。
【図１８】図１８は、第２のシミュレーションから得られた配光分布のグラフを示す図である。
【図１９】図１９は、第３のシミュレーションから得られた輝度分布のグラフを示す図である。
【図２０】図２０は、第１の実施形態の第１の変形例を説明するための図である。
【図２１】図２１は、第１の実施形態の第２の変形例を説明するための図である。
【図２２】図２２は、第２の実施形態に係る面状照明装置の正面図である。
【図２３】図２３は、第２の実施形態の第１の変形例を説明するための図である。
【図２４】図２４は、第２の実施形態の第２の変形例を説明するための図である。
【発明を実施するための形態】
【０００９】
以下、実施形態に係る面状照明装置について図面を参照して説明する。なお、以下に説明する実施形態により面状照明装置の用途が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１０】
（第１の実施形態）
まず、図１及び図２を用いて、面状照明装置１０の構成の概要を説明する。図１は、第１の実施形態に係る面状照明装置の正面図である。図２は、図１におけるＡ−Ａ線の断面図である。
【００１１】
図１に示すように、面状照明装置１０は、線状光源２０と、ハウジングフレーム１１と、ＦＰＣ（Flexible  Printed  Circuits）１２ａ、１２ｂと、導光板１６とを備える。線状光源２０は、ＬＥＤ（Light  Emitting  Diode）１３ａ、１３ｂと、ライトバー１４と、プリズムシート１５とを備える。面状照明装置１０は、例えば、自動車のハイマウントストップランプに用いられる。
【００１２】
ハウジングフレーム１１は、線状光源２０や導光板１６の一部等を保持し、収納する。ハウジングフレーム１１は、例えば、合成樹脂や金属で形成されている。なお、図１において、説明の便宜上、ハウジングフレーム１１のＺ軸のプラス方向側の部分の図示が省略されている。
【００１３】
ＦＰＣ１２ａは、ＬＥＤ１３ａが実装される基板である。ＦＰＣ１２ａは、実装面１２ａ＿１を有する。実装面１２ａ＿１には、ＬＥＤ１３ａの発光面１３ａ＿１とは反対側の面が載置される。
【００１４】
ＦＰＣ１２ｂは、ＬＥＤ１３ｂが実装される基板である。ＦＰＣ１２ｂは、実装面１２ｂ＿１を有する。実装面１２ｂ＿１には、ＬＥＤ１３ｂの発光面１３ｂ＿１とは反対側の面が載置される。
【００１５】
ＦＰＣ１２ａ、１２ｂには、図示しない駆動回路が接続されている。すなわち、かかる駆動回路により、ＦＰＣ１２ａ、１２ｂを介して、ＬＥＤ１３ａ、１３ｂが駆動されて光を発する（ＬＥＤ１３ａ、１３ｂが点灯する）。
【００１６】
ＬＥＤ１３ａ、１３ｂは、点状の光源である。ＬＥＤ１３ａは、光を発する発光面１３ａ＿１を有する。ＬＥＤ１３ｂは、光を発する発光面１３ｂ＿１を有する。ＬＥＤ１３ａは、発光面１３ａ＿１がライトバー１４の入光面１４ａに対向した状態で、ライトバー１４の入光面１４ａ側に配置される。また、ＬＥＤ１３ｂは、発光面１３ｂ＿１がライトバー１４の入光面１４ｂに対向した状態で、ライトバー１４の入光面１４ｂ側に配置される。この結果、ＬＥＤ１３ａは、入光面１４ａに入射される光を発し、ＬＥＤ１３ｂは、入光面１４ｂに入射される光を発する。また、上述したように、ＬＥＤ１３ａの発光面１３ａ＿１とは反対側の面が実装面１２ａ＿１に載置され、ＬＥＤ１３ｂの発光面１３ｂ＿１とは反対側の面が実装面１２ｂ＿１に載置される。すなわち、ＬＥＤ１３ａ、１３ｂは、トップビュー型のＬＥＤである。なお、ＬＥＤ１３ａ、１３ｂは、サイドビュー型のＬＥＤであってもよい。
【００１７】
ここで、本実施形態では、ＬＥＤ１３ａとＬＥＤ１３ｂとは、並列に接続されている。そのため、ＬＥＤ１３ａ及びＬＥＤ１３ｂのうち、一方のＬＥＤが断線しても、他方のＬＥＤは、点灯することができる。
【００１８】
ライトバー１４は、点状の光源であるＬＥＤ１３ａ、１３ｂにより入射された光を線状の光に変換して導光板１６に向けて出射する。ライトバー１４は、棒状に形成され、入光面１４ａ、１４ｂ、出射面１４ｃ、及び、出射面１４ｃとは反対側の面１４ｄを有する。入光面１４ａには、ＬＥＤ１３ａが発した光が入射される。入光面１４ｂには、ＬＥＤ１３ｂが発した光が入射される。出射面１４ｃは、入射された光を出射する。出射面１４ｃには、後述する複数の第１のプリズム１４ｘ（図７参照）がライトバー１４の短手方向（Ｚ軸方向（第１の方向））に形成される。また、面１４ｄには、後述する複数の第４のプリズム１４ｕ（図５参照）がライトバー１４の長手方向（Ｘ軸方向）に形成される。
【００１９】
プリズムシート１５は、光の配光を制御する。プリズムシート１５は、ライトバー１４の出射面１４ｃと導光板１６の入光面１６ｃとの間に配置される。プリズムシート１５は、ライトバー１４の出射面１４ｃと対向する一面１５ａと、一面１５ａとは反対側の面１５ｂとを有する。一面１５ａには、プリズムシート１５の長手方向（Ｘ軸方向（第２の方向））に、後述する複数の第２のプリズム１５ｉ（図８Ａ、図８Ｂ、図９参照）が並んで形成される。ここで、第２の方向は、上述した第１の方向と直交する方向である。なお、第２の方向は、第１の方向と交差する方向であればよい。また、面１５ｂは、ＸＺ平面に平行な平面である。
【００２０】
ここで、線状光源２０（より具体的には、プリズムシート１５の面１５ｂ）の輝度が均一な領域（厚み方向（Ｙ軸方向）に平均化し、幅方向（Ｚ軸方向）を１ｍｍ以下、好ましくは０．５ｍｍ以下の分解能で得られた輝度の最大値と最小値との比（最小値／最大値）が６０パーセント以上、好ましくは、８０パーセント以上となる領域）の幅が、導光板１６の入光面１６ｃの幅以上であることが好ましい。
【００２１】
導光板１６は、透明材料（例えば、ポリカーボネート樹脂）を用いて上面視で矩形状に形成されている。導光板１６は、２つの主面１６ａ及び主面１６ｂ（図２参照）と、プリズムシート１５が配置される側の側面である入光側面（入光面）１６ｃとを有する。主面１６ａ及び主面１６ｂは、ＸＹ平面に沿って広がる矩形状の面である。入光面１６ｃは、Ｘ軸方向に延伸する短冊状の面である。入光面１６ｃには、プリズムシート１５によって配光が制御された光が入射される。主面１６ａは、入光面１６ｃから入射された光が出射される出射面である。そのため、以下の説明では、「主面１６ａ」を「出射面１６ａ」と表記する場合がある。導光板１６の出射面１６ａとは反対側の面である主面１６ｂには、上述した第１の方向及び第２の方向に直交する第３の方向（Ｙ軸方向）に、後述する複数の第３のプリズム１６ｆ（図１０参照）が並んで形成されている。なお、第３の方向は、第１の方向及び第２の方向に交差していればよい。第３のプリズム１６ｆにより、導光板１６内を進む光の進行方向が変更されて、出射面１６ａから光が出射される。このように、導光板１６は、入光面１６ｃから入射された光を導光する（入射された光を導く）。具体的には、導光板１６は、入射された光を出射面１６ａに導光する。導光板１６は、所望の透光性を有する。例えば、導光板１６は、全体が透けて、出射面１６ａとは反対側の面である主面１６ｂ側に存在する物体が出射面１６ａ側から視認できるような透光性を有する。
【００２２】
次に、図３〜図７を用いて、本実施形態に係るライトバー１４について説明する。図３は、第１の実施形態に係るライトバーを説明するための図である。図３に示すように、ライトバー１４は、ライトバー１４の長手方向（Ｘ軸方向）における一端１４ｅから中心１４ｆに向かうにつれて、幅（Ｙ軸方向における寸法）が狭くなる楔形状の第１部分１４ｈ及び第２部分１４ｉ、並びに、他端１４ｇから中心１４ｆに向かうにつれて、幅が狭くなる楔形状の第３部分１４ｊ及び第４部分１４ｋを有する。図３に示すように、ＸＹ平面の断面視において、ライトバー１４の形状は、中心１４ｆを通る線分であってＹ軸に平行な線分に対して線対称となる。すなわち、かかる線分は、Ｙ軸方向に沿う線分である。
【００２３】
図３に示すように、第１部分１４ｈは、出射面１４ｃの一部、及び、出射面１４ｃの一部とは反対側の面１４ｌを有する。第２部分１４ｉは、出射面１４ｃの一部、及び、出射面１４ｃの一部とは反対側の面１４ｍを有する。第３部分１４ｊは、出射面１４ｃの一部、及び、出射面１４ｃの一部とは反対側の面１４ｎを有する。第４部分１４ｋは、出射面１４ｃの一部、及び、出射面１４ｃの一部とは反対側の面１４ｏを有する。
【００２４】
図４は、第１部分及び第２部分の一部の拡大図である。図４に示すように、ＸＹ平面の断面視において、プリズムシート１５の面１５ｂに平行な面１４ｐと面１４ｌとの成す角の角度φ１は、面１５ｂに平行な面１４ｑと面１４ｍとの成す角の角度φ２よりも大きい。同様に、ＸＹ平面の断面視において、面１５ｂに平行な面と面１４ｎとの成す角の角度は、面１５ｂに平行な面と面１４ｏとの成す角の角度よりも大きい。
【００２５】
次に、図５及び図６を参照して、第１の実施形態に係るライトバーの出射面とは反対側の面に形成される第４のプリズムを説明する。図５及び図６は、第１の実施形態に係るライトバーの出射面とは反対側の面に形成される第４のプリズムを説明するための図である。
【００２６】
図５は、図３に示すライトバー１４の面１４ｄの長手方向（Ｘ軸方向）における中央付近の部分２１であって、中心１４ｆよりも入光面１４ａ側の部分２１に形成される第４のプリズムを説明するための図である。図６は、図３に示すライトバー１４の面１４ｄの長手方向における一端１４ｅ側の部分２２に形成される第４のプリズムを説明するための図である。
【００２７】
図５に示すように、部分２１における面１４ｄには、複数の第４のプリズム１４ｕが、ライトバー１４の長手方向（Ｘ軸方向（第２の方向））に並んで形成されている。第４のプリズム１４ｕは、第５領域１４ｓと第６領域１４ｔとを有する。第５領域１４ｓは、ライトバー１４の長手方向における一端１４ｅ（図３参照）から中心１４ｆ（図３参照）に向かうにつれて、出射面１４ｃに対して、出射面１４ｃから離れる方向に傾斜している。第６領域１４ｔは、ライトバー１４の長手方向における一端１４ｅ（図３参照）から中心１４ｆ（図３参照）に向かうにつれて、出射面１４ｃに対して、出射面１４ｃに近づく方向に傾斜している。すなわち、第５領域１４ｓ及び第６領域１４ｔは、プリズムシート１５の面１５ｂに対して傾斜している。一の第４のプリズム１４ｕの第６領域１４ｔは、一の第４のプリズム１４ｕの第５領域１４ｓに連続する。
【００２８】
図６に示すように、部分２２における面１４ｄにおいても、同様に、複数の第４のプリズム１４ｕが、ライトバー１４の長手方向（Ｘ軸方向（第２の方向））に並んで形成されている。
【００２９】
なお、ＸＹ平面の断面視における複数の第４のプリズム１４ｕの形状は、中心１４ｆを通る線分であって、Ｙ軸方向と平行な線分に対して、線対称となる。かかる線分は、Ｙ軸方向に沿う線分である。すなわち、面１４ｄには、Ｘ軸方向（第２の方向）におけるライトバー１４の端（一端１４ｅ（図３参照）及び他端１４ｇ（図３参照））から中心１４ｆに向かうにつれて、出射面１４ｃに対して、出射面１４ｃから離れる方向に傾斜している第５領域１４ｓに、出射面１４ｃに対して、出射面１４ｃに近づく方向に傾斜している第６領域１４ｔが連続する第４のプリズム１４ｕがＸ軸方向に複数並んで形成される。
【００３０】
ここで、ＸＹ平面の断面視におけるライトバー１４の中心１４ｆにおける第４のプリズム１４ｕの第６領域１４ｔと、詳細を後述する仮想的な面１４ａａに平行な仮想的な面１４ｒ（面１５ｂ）との成す角の角度φ３（図５参照）は、ライトバー１４の端（一端１４ｅ（図３参照）及び他端１４ｇ（図３参照））における第４のプリズム１４ｕの第６領域１４ｔと面１４ｒ（面１５ｂ）との成す角の角度φ４（図６参照）よりも大きく、第４のプリズム１４ｕの第６領域１４ｔと面１４ｒ（面１５ｂ）との成す角の角度は、ライトバー１４の中心１４ｆから端（一端１４ｅ（図３参照）及び他端１４ｇ（図３参照））に向かうにつれて徐々に小さくなるように連続的に変化する。
【００３１】
また、ＸＹ平面の断面視における第５領域１４ｓと第６領域１４ｔとの成す角の角度は、ライトバー１４の中心１４ｆにおける第４のプリズム１４ｕ及びライトバー１４の端における第４のプリズム１４ｕとで共通の角度φ５である。
【００３２】
面１４ｄに形成された第４のプリズム１４ｕにより、ライトバー１４の出射面１４ｃにおけるＸ軸方向の配光（配光分布）及び輝度分布を容易に制御することができる。この結果、導光板１６の出射面１６ａにおけるＸ軸方向の配光分布及び輝度分布を精度良く制御することができる。
【００３３】
次に、図７を参照して、第１の実施形態に係るライトバーの出射面に形成される第１のプリズムを説明する。図７は、第１の実施形態に係るライトバーの出射面に形成される第１のプリズムを説明するための図である。図７には、ライトバー１４の側面が示されている。
【００３４】
図７に示すように、ＹＺ平面の断面視において、ライトバー１４の出射面１４ｃに、複数の第１のプリズム１４ｘが、ライトバー１４の短手方向（Ｚ軸方向（第１の方向））に並んで形成されている。第１のプリズム１４ｘは、第７領域１４ｖと第８領域１４ｗとを有する。第７領域１４ｖは、ライトバー１４の短手方向における一端１４ｙ（Ｚ軸のマイナス方向側の端）から他端１４ｚ（Ｚ軸のプラス方向側の端）に向かうにつれて、プリズムシート１５の面１５ｂに平行な面１４ａａに対して、面１４ｄから離れる方向に傾斜している。第８領域１４ｗは、ライトバー１４の短手方向における一端１４ｙから他端１４ｚに向かうにつれて、面１４ａａに対して、面１４ｄに近づく方向に傾斜している。
【００３５】
また、第７領域１４ｖと第８領域１４ｗとの成す角（第１のプリズム１４ｘの頂角）の角度φ６は、例えば、９０度である。また、第７領域１４ｖと面１４ａａとの成す角の角度φ７及び第８領域１４ｗと面１４ａａとの成す角の角度φ８は、例えば、４５度である。
【００３６】
ここで、例えば、図７に示すように、ライトバー１４に入射された光８０の進路が、第１のプリズム１４ｘによりＹ軸方向と平行な方向に変更されて、進路が変更された光８０がプリズムシート１５の一面１５ａ（図１参照）に入射する。このように、第１のプリズム１４ｘにより、Ｚ軸方向の配光が制御される。また、ライトバー１４の出射面１４ｃとは反対側の面１４ｄに上述した第４のプリズム１４ｕが形成されているため、出射面１４ｃに形成された第１のプリズム１４ｘの頂角を変更すること等により、ライトバー１４の出射面１４ｃにおけるＺ軸方向の配光（配光分布）及び輝度分布を容易に制御することができる。この結果、導光板１６の出射面１６ａにおけるＹ軸方向の配光（配光分布）及び輝度分布を容易に制御することができる。
【００３７】
なお、第１のプリズム１４ｘの頂角の角度φ６を９０度にした場合に、導光板１６の出射面１６ａにおけるＺ軸方向の配光が最も狭くなる。角度φ６を９０度よりも大きくすることで、導光板１６の出射面１６ａにおけるＺ軸方向の配光が広くなる。
【００３８】
次に、図８Ａ、図８Ｂ及び図９を用いて、第１の実施形態に係るプリズムシート１５について説明する。図８Ａ、図８Ｂ及び図９は、第１の実施形態に係るプリズムシートについて説明するための図である。
【００３９】
図８Ａ及び図８Ｂは、図１に示すプリズムシート１５の長手方向（Ｘ軸方向）における中央付近の部分１５ｃに形成される第２のプリズムについて説明するための図である。図９は、図１に示すプリズムシート１５の長手方向における一端１５ｅ側の部分１５ｄに形成される第２のプリズムについて説明するための図である。
【００４０】
図８Ａに示すように、部分１５ｃにおける一面１５ａには、複数の第２のプリズム１５ｉが、プリズムシート１５の長手方向（Ｘ軸方向（第２の方向））に並んで形成されている。第２のプリズム１５ｉは、第１領域１５ｇと第２領域１５ｈとを有する。第１領域１５ｇは、プリズムシート１５の長手方向における一端１５ｅ（図１参照）から中心１５ｋ（図１参照）に向かうにつれて、面１５ｂ（図１参照）に対して面１５ｂから離れる方向に傾斜している。第２領域１５ｈは、プリズムシート１５の長手方向における一端１５ｅから中心１５ｋに向かうにつれて、面１５ｂに対して面１５ｂに近づく方向に傾斜している。一の第２のプリズム１５ｉの第２領域１５ｈは、一の第２のプリズム１５ｉの第１領域１５ｇに連続する。
【００４１】
図８Ａに示すように、プリズムシート１５の一面１５ａに入射された光８１の進路が、第２のプリズム１５ｉによりＹ軸方向と平行な方向に変更されて、進路が変更された光８１が導光板１６の入光面１６ｃ（図１参照）に入射する。より具体的には、例えば、第２のプリズム１５ｉの第１領域１５ｇに入射された光８１が、第２領域１５ｈにより面１５ｂに向けて反射される。このように、第２のプリズム１５ｉにより、Ｘ軸方向の配光が制御される。
【００４２】
図９に示すように、部分１５ｄにおける一面１５ａにおいても、同様に、複数の第２のプリズム１５ｉが、プリズムシート１５の長手方向（Ｘ軸方向（第２の方向））に並んで形成されている。
【００４３】
なお、ＸＹ平面の断面視における複数の第２のプリズム１５ｉの形状は、中心１５ｋ（図１参照）を通る線分であって、Ｙ軸方向と平行な線分に対して、線対称となる。かかる線分は、Ｙ軸方向に沿う線分である。すなわち、一面１５ａには、Ｘ軸方向（第２の方向）におけるプリズムシート１５の端（一端１５ｅ（図１参照）及び他端１５ｆ（図１参照））から中心１５ｋに向かうにつれて、面１５ｂに対して面１５ｂから離れる方向に傾斜している第１領域１５ｇに、面１５ｂに対して面１５ｂに近づく方向に傾斜している第２領域１５ｈが連続する第２のプリズム１５ｉがＸ軸方向に複数並んで形成される。
【００４４】
ここで、ＸＹ平面の断面視における中心１５ｋを含む中央部（部分１５ｃ）における第２のプリズム１５ｉの第１領域１５ｇと、面１５ｂに平行な面１５ｊとの成す角の角度φ１０（図８Ａ参照）は、プリズムシート１５の端（一端１５ｅ（図１参照）及び他端１５ｆ（図１参照））における第２のプリズム１５ｉの第１領域１５ｇと面１５ｊとの成す角の角度φ１２（図９参照）よりも小さい。すなわち、Ｘ軸方向（第２の方向）における一面１５ａの中央部に形成された第２のプリズム１５ｉの第１領域１５ｇの面１５ｂに対する角度（傾斜角度）φ１０は、Ｘ軸方向における一面１５ａの端部に形成された第１領域１５ｇの面１５ｂに対する角度（傾斜角度）φ１２よりも小さい。
【００４５】
また、ＸＹ平面の断面視における中心１５ｋ（部分１５ｃ）における第２のプリズム１５ｉの第２領域１５ｈと、面１５ｊとの成す角の角度φ１１（図８Ａ参照）は、プリズムシート１５の端における第２のプリズム１５ｉの第２領域１５ｈと面１５ｊとの成す角の角度φ１３（図９参照）よりも大きい。すなわち、Ｘ軸方向（第２の方向）における一面１５ａの中央部に形成された第２のプリズム１５ｉの第２領域１５ｈの面１５ｂに対する角度（傾斜角度）φ１１は、Ｘ軸方向における一面１５ａの端部に形成された第２領域１５ｈの面１５ｂに対する角度（傾斜角度）φ１３よりも小さい。
【００４６】
また、ＸＹ平面の断面視における第１領域１５ｇと第２領域１５ｈとの成す角の角度は、プリズムシート１５の中心１５ｋにおける第２のプリズム１５ｉ及びプリズムシート１５の端における第２のプリズム１５ｉとで共通の角度φ９である。
【００４７】
なお、図８Ａに示すように、ＸＹ平面の断面視において、中心１５ｋ（図１参照）を通る線分であってＹ軸方向と平行な線分である線分７１が、一の第２のプリズム１５ｉの第１領域１５ｇと一の第２のプリズム１５ｉの第２領域１５ｈとの成す角を通る場合には、中央部（部分１５ｃ）における第２のプリズム１５ｉの第１領域１５ｇと、面１５ｊとの成す角の角度φ１０は、第２領域１５ｈと面１５ｊとの成す角の角度φ１１と等しい。すなわち、ＸＹ平面の断面視において、中央部（部分１５ｃ）における第２のプリズム１５ｉの形状は、二等辺三角形となる。
【００４８】
また、図８Ｂに示すように、ＸＹ平面の断面視において、中心１５ｋ（図１参照）を通る線分であってＹ軸方向と平行な線分である線分７２が、一の第２のプリズム１５ｉの第２領域１５ｈと、一の第２のプリズム１５ｉに隣接する他の第２のプリズム１５ｉの第１領域１５ｇとの境界を通る場合には、中央部（部分１５ｃ）における一の第２のプリズム１５ｉの第１領域１５ｇと面１５ｊとの成す角の角度φ１０と、一の第２のプリズム１５ｉの第２領域１５ｈと面１５ｊとの成す角の角度φ１１と、他の第２のプリズム１５ｉの第１領域１５ｇと面１５ｊとの成す角の角度φ１０と、他の第２のプリズム１５ｉの第２領域１５ｈと面１５ｊとの成す角の角度φ１１とは等しい。すなわち、ＸＹ平面の断面視において、中央部（部分１５ｃ）における一の第２のプリズム１５ｉ及び他の第２のプリズム１５ｉの形状は、二等辺三角形となる。
【００４９】
上述したように、ＸＹ平面の断面視における複数の第２のプリズム１５ｉの形状は、中心１５ｋを通る線分であって、Ｙ軸方向（第３の方向）と平行な線分に対して、線対称となる。すなわち、かかる線分は、Ｙ軸方向に沿う線分である。このため、図９に示すように、Ｘ軸方向において、中心１５ｋよりもＬＥＤ１３ａ側に形成された第２のプリズム１５ｉにより、ＬＥＤ１３ｂが発した光８２であって、一面１５ａに入射された光８２の進路がＹ軸方向と平行な方向に変更されて、進路が変更された光８２が導光板１６の入光面１６ｃ（図１参照）に入射する。このように、中心１５ｋよりもＬＥＤ１３ａ側に形成された第２のプリズム１５ｉにより、ＬＥＤ１３ｂが発した光の配光制御を行うことができる。同様に、Ｘ軸方向において、中心１５ｋよりもＬＥＤ１３ｂ側に形成された第２のプリズム１５ｉにより、ＬＥＤ１３ａが発した光の配光制御を行うことができる。この結果、ライトバー１４の両側に配置されたＬＥＤ１３ａ、１３ｂのうち、一方のＬＥＤが断線（消灯）して、他方のＬＥＤのみが点灯する場合であっても、ＬＥＤ１３ａ及びＬＥＤ１３ｂの両方のＬＥＤが点灯する場合の配光分布と略同等の配光分布を維持することができる。
【００５０】
なお、プリズムシート１５の面１５ｂは、平面であるが、この面１５ｂに、図８Ａ、図８Ｂ及び図９に示すように、Ｘ軸方向（第２の方向）に複数の凸レンズ３０が並んだレンチキュラレンズが設けられてもよい。凸レンズ３０と面１５ｂとの接触角を大きくすることで、Ｘ軸方向の配光を大きくすることができる。このように、凸レンズ３０と面１５ｂとの接触角を設定することで、Ｘ軸方向の配光（配光分布）を容易に制御することができる。この結果、導光板１６の出射面１６ａにおけるＸ軸方向の配光（配光分布）を容易に制御することができる。
【００５１】
また、隣接する凸レンズ３０間のピッチ間隔を、隣接する第２のプリズム１５ｉ間のピッチ間隔よりも狭くすることで、Ｘ軸方向の輝度の均一性を容易に向上させることができる。この結果、導光板１６の出射面１６ａにおけるＸ軸方向の輝度分布を容易に制御することができる。
【００５２】
次に、図１０〜図１４を用いて、第１の実施形態に係る導光板１６について説明する。図１０〜図１４は、第１の実施形態に係る導光板について説明するための図である。
【００５３】
図１０に示すように、導光板１６の出射面１６ａと反対側の主面（面）１６ｂに、複数の第３のプリズム１６ｆが、導光板１６の短手方向（Ｙ軸方向（第３の方向））に並んで形成されている。第３のプリズム１６ｆは、第３領域１６ｄと第４領域１６ｅとを有する。第３領域１６ｄは、出射面１６ａと平行又は略平行な領域（面）である。例えば、図１１に示すように、第３領域１６ｄは、出射面１６ａと平行な面１６ｈとの成す角の角度φ１４が、０度以上４度以下となる領域である。好ましくは、角度φ１４が、０度以上１度以下である。更に好ましくは、角度φ１４が、０度以上０．５度以下である。
【００５４】
上述したように、第３領域１６ｄが、出射面１６ａと平行又は略平行な領域であるため、導光板１６の出射面１６ａとは反対側の面である主面１６ｂ側に存在する物体を出射面１６ａ側から視認した場合に、視認される物体の物理的な連続性が高い。すなわち、視認される物体の歪みが抑制される。よって、導光板１６は、上述した所望の透光性を有する。
【００５５】
第４領域１６ｅは、導光板１６の入光面１６ｃ（図１参照）から、入光面１６ｃとは反対側の面１６ｇに向かうにつれて、出射面１６ａに対して、出射面１６ａに近づく方向に傾斜している。一の第３のプリズム１６ｆの第４領域１６ｅは、一の第３のプリズム１６ｆの第３領域１６ｄに連続する。
【００５６】
ここで、第３のプリズム１６ｆのＹ軸方向（第３の方向）における長さ（第３のプリズム１６ｆのＹ軸方向における寸法）Ｌ３に対する第３領域１６ｄのＹ軸方向（第３の方向）における長さ（第３領域１６ｄのＹ軸方向における寸法）Ｌ１の割合Ｐ１は、０．６（６０％）以上１．０（１００％）未満である。なお、割合Ｐ１は、下記の式（１）で表される。
Ｐ１＝Ｌ１／Ｌ３      式（１）
【００５７】
なお、長さＬ３は、長さＬ１と、第４領域１６ｅのＹ軸方向における長さ（第４領域１６ｅのＹ軸方向における寸法）Ｌ２との和であり、下記の式（２）で表される。
Ｌ３＝Ｌ１＋Ｌ２      式（２）
【００５８】
また、ＹＺ平面の断面視において、面１６ｈと第４領域１６ｅとの成す角の角度（プリズム角度）φ１５は、下記の式（３）で表される。
φ１５＝｛９０−ａｓｉｎ（ｓｉｎθ／ｎ）｝／２      式（３）
【００５９】
ここで、式（３）は、上述した第１のプリズム１４ｘの頂角の角度φ６（図７参照）が９０度付近の角度（９０度±５度）であり、かつ、上述した第３領域１６ｄが出射面１６ａと平行又は略平行である場合に、成立する。式（３）において、「ｎ」は、導光板１６の屈折率である。また、「θ」は、下記の式（４）で表される角度である。
θ＝９０−θ１      式（４）
【００６０】
式（４）における「θ１」は、例えば、図１２に示すように、面状照明装置１０がハイマウントストップランプとして、自動車のリアウインドウ（図示せず）に取り付けられた場合に、ＹＺ平面視における水平方向１７と出射面１６ａとの成す角の角度（配置角度）を示す。本実施形態では、「θ」は、出射面１６ａの垂直方向１８と、導光板１６の出射面１６ａから出射される光の進行方向１９（水平方向１７）とが成す角の角度（出射角度）を示す。すなわち、「θ」は、出射面１６ａから出射される光の出射角度を示す。なお、光の進行方向１９とは、出射面１６ａからは複数の光が複数の方向に出射されるが、複数の光のうちピークの光度を有する光が進む方向を指す。
【００６１】
ここで、第１の実施形態に係る面状照明装置１０のモデルに対して行われた第１のシミュレーションの結果（第１のシミュレーション結果）について説明する。第１のシミュレーションは、ハイマウントストップランプの配光規格を満たす場合のＬＥＤ１３ａ、１３ｂの最小光束における各配置角度θ１、及び、各配置角度θ１に対応する各プリズム角度φ１５を算出するシミュレーションである。
【００６２】
まず、第１のシミュレーション結果を説明する前に、ハイマウントストップランプの配光規格について説明する。図１３及び図１４は、ハイマウントストップランプの配光規格を説明するための図である。以下、一般的な面状照明装置を例に挙げて配光規格について説明する。水平方向及び鉛直方向（垂直方向）の２方向の２軸周りを回転可能なテーブルに面状照明装置を設置し、テーブルの水平方向の角度が０度、かつ、鉛直方向の角度が０度の状態で、面状照明装置の出射面と対向する位置に、出射面から出射される光の光度（ｃｄ）を測定する光度計を設置する。ハイマウントストップランプの配光規格は、図１３及び図１４に示すように、テーブルの鉛直方向の角度が０度（Ｈ）であり、かつ、テーブルの水平方向の角度が−１０度（１０Ｌ）である場合において光度計により測定された光度が、１６ｃｄ以上でなければならないという規格である。また、図１３及び図１４に示す配光規格は、テーブルの鉛直方向の角度が０度（Ｈ）であり、かつ、テーブルの水平方向の角度が−５度（５Ｌ）である場合において光度計により測定された光度が、２５ｃｄ以上でなければならないことを示す。また、図１３及び図１４に示す配光規格は、テーブルの鉛直方向の角度が０度（Ｈ）であり、かつ、テーブルの水平方向の角度が０度（Ｖ）である場合において光度計により測定された光度が、２５ｃｄ以上でなければならないことを示す。また、図１３及び図１４に示す配光規格は、テーブルの鉛直方向の角度が０度（Ｈ）であり、かつ、テーブルの水平方向の角度が５度（５Ｒ）である場合において光度計により測定された光度が、２５ｃｄ以上でなければならないことを示す。また、図１３及び図１４に示す配光規格は、テーブルの鉛直方向の角度が０度（Ｈ）であり、かつ、テーブルの水平方向の角度が１０度（１０Ｒ）である場合において光度計により測定された光度が、１６ｃｄ以上でなければならないことを示す。他の鉛直方向の角度（５度（５Ｕ）、１０度（１０Ｕ）、−５度（５Ｄ））についても同様である。なお、図１４において、「−」は、規格の光度が無いことを示す。
【００６３】
図１５は、第１のシミュレーション結果と、式（３）により算出された各配置角度及び各配置角度に対応する各プリズム角度との関係を示す図である。図１５には、上述した第１のシミュレーション結果と、上述した式（３）により算出された各配置角度θ１及び各配置角度θ１に対応する各プリズム角度φ１５との関係を示すグラフが示されている。
【００６４】
図１５に示すグラフにおける横軸は、配置角度θ１を示し、縦軸は、プリズム角度φ１５を示す。また、かかるグラフにおいて、白塗りの丸３２は、第１のシミュレーション結果である各配置角度θ１及び各プリズム角度φ１５を示し、黒塗りの丸３１は、式（３）により算出された各配置角度θ１及び各プリズム角度φ１５（計算結果）を示す。
【００６５】
図１５のグラフに示すように、同一の配置角度θ１に対する、式（３）により算出されたプリズム角度φ１５と、シミュレーションにより得られたプリズム角度φ１５とでは、５度程度の差がある。より具体的には、２度程度の差がある。このため、本実施形態に係る面状照明装置１０では、式（３）により算出されたプリズム角度φ１５から５度を減算した角度以上、式（３）により算出されたプリズム角度φ１５に５度を加算した角度以下の範囲内の角度を、面１６ｈと第４領域１６ｅとの成す角の角度（図１０参照）としてもよい。好ましくは、式（３）により算出されたプリズム角度φ１５から２度を減算した角度以上、式（３）により算出されたプリズム角度φ１５に２度を加算した角度以下の範囲内の角度を、面１６ｈと第４領域１６ｅとの成す角の角度（図１０参照）としてもよい。
【００６６】
ハイマウントストップランプの配光規格を少ない光束で満たすためには、出射角度θは、０度より大きく６５度以下であることが好ましい。更に、導光板１６の出射面１６ａとは反対側の主面１６ｂから光が漏れること（裏面発光）を抑制する場合には、出射角度θは、２０度以上６５度以下であることが好ましい。なお、出射面１６ａ側に低反射処理を施すことで、出射角度θは、０度より大きく６５度以下としてもよい。低反射処理は、例えば、出射面１６ａに誘電体多層膜やモスアイ構造などを形成して反射光の発生を抑制する処理である。低反射処理により、出射面１６ａによる導光板１６内への光の反射が抑制される。
【００６７】
次に、図１６を参照して、導光板１６の出射面１６ａ全体から均一に光を出射（発光）させる場合の導光板１６の厚さｈと、出射角度θと、導光板１６の屈折率ｎと、後述する距離ｘとの関係について説明する。図１６は、導光板の出射面全体から均一に光を出射させる場合の導光板の厚さと、出射角度と、導光板の屈折率と、距離との関係について説明するための図である。
【００６８】
図１６に示す導光板１６の厚さｈと、出射角度θと、導光板１６の屈折率ｎと、距離ｘとの関係は、下記の式（５）により示される関係であることが好ましい。
ｘ≧ｈ・ｔａｎ［ａｓｉｎ｛（ｓｉｎθ）／ｎ｝］      式（５）
【００６９】
式（５）における距離ｘは、Ｙ軸方向における、ハウジングフレーム１１の面１６ｇ側、かつ、出射面１６ａ側の端１１ａから、導光板１６の主面１６ｂのうち、出射面１６ａに平行な面１６ｉと、入光面１６ｃ（図１参照）から面１６ｇに向かうにつれて、出射面１６ａに近づくように傾斜している面１６ｊとが連続する箇所１６ｋまでの距離（長さ）である。図１６に示すように、導光板１６は、入光面１６ｃ（図１参照）から面１６ｇに向かうにつれて、幅（Ｚ軸方向における寸法）が狭くなる楔形状の部分を含む。
【００７０】
なお、先の図１２に示すように、面状照明装置１０がハイマウントストップランプとして、自動車のリアウインドウ（図示せず）に取り付けられた場合に、ハウジングフレーム１１の上下方向（鉛直方向）における下側、かつ、主面１６ｂ側の端７４から、導光板１６の上下方向における下側の端までの長さ（透過長さ）Ｌ４と、ハウジングフレーム１１の上下方向における下側、かつ、出射面１６ａ側の端７３から、導光板１６の上下方向における下側の端までの長さ（発光長さ）Ｌ５とは、等しいことが好ましい。
【００７１】
次に、本実施形態に係る面状照明装置１０のモデルに対して行われた第２のシミュレーションにより得られた結果（第２のシミュレーション結果）について説明する。第２のシミュレーションは、面状照明装置１０のモデルを用いて、ライトバー１４の両側（両端）に配置されたＬＥＤ１３ａ、１３ｂを発光（点灯）させた場合（両側点灯の場合）の配光分布、及び、ライトバー１４の両側に配置されたＬＥＤ１３ａ、１３ｂのうちＬＥＤ１３ａのみを点灯させた場合（片側点灯の場合）の配光分布を得るシミュレーションである。なお、第２のシミュレーションは、両側点灯の場合の光源であるＬＥＤ１３ａ、１３ｂの全光束を１００ｌｍとし、片側点灯の場合の光源であるＬＥＤ１３ａの全光束を１００ｌｍとして、すなわち、両側点灯の場合の光源の全光束と片側点灯の場合の光源の全光束とを同一の光束として、両側点灯の場合の配光分布及び片側点灯の場合の配光分布を得る。図１７及び図１８は、第２のシミュレーションから得られた配光分布のグラフを示す図である。
【００７２】
図１７のグラフは、両側点灯の場合及び片側点灯の場合の各場合において、導光板１６の出射面１６ａの短手方向（垂直方向：Ｙ軸方向）の角度（垂直方向角度）と、出射面１６ａから各垂直方向角度に出射される光の光度（ｃｄ）との関係を示す。図１７において、横軸は、垂直方向角度を示し、縦軸は、光度を示す。図１７のグラフにおいて、曲線５１は、両側点灯の場合の垂直方向角度と光度との関係を示し、曲線５２は、片側点灯の場合の垂直方向角度と光度との関係を示す。
【００７３】
図１８のグラフは、両側点灯の場合及び片側点灯の場合の各場合において、導光板１６の出射面１６ａの長手方向（水平方向：Ｘ軸方向）の角度（水平方向角度）と、出射面１６ａから各水平方向角度に出射される光の光度（ｃｄ）との関係を示す。図１８において、横軸は、水平方向角度を示し、縦軸は、光度を示す。図１８のグラフにおいて、曲線５３は、両側点灯の場合の水平方向角度と光度との関係を示し、曲線５４は、片側点灯の場合の水平方向角度と光度との関係を示す。
【００７４】
図１７のグラフ及び図１８のグラフから分かるように、両側点灯の場合の配光分布と片側点灯の場合の配光分布とは、略同等である。したがって、仮に、本実施形態に係る面状照明装置１０によれば、ライトバー１４の両側に配置されたＬＥＤ１３ａ、１３ｂのうち、一方のＬＥＤが断線（消灯）して、片側点灯となった場合であっても、両側点灯の場合の配光分布と略同等の配光分布を維持させることができる。この結果、両側点灯から片側点灯となった場合であっても、ハイマウントストップランプの配光規格を満たすことができる。
【００７５】
次に、本実施形態に係る面状照明装置１０のモデルに対して行われた第３のシミュレーションにより得られた結果（第３のシミュレーション結果）について説明する。第３のシミュレーションは、面状照明装置１０のモデルを用いて、両側点灯の場合の輝度分布、及び、片側点灯の場合の輝度分布を得るシミュレーションである。なお、第３のシミュレーションは、両側点灯の場合の光源であるＬＥＤ１３ａ、１３ｂの全光束を２００ｌｍとし、片側点灯の場合の光源であるＬＥＤ１３ａの全光束を１００ｌｍとして、両側点灯の場合の輝度分布及び片側点灯の場合の配光分布を得る。図１９は、第３のシミュレーションから得られた輝度分布のグラフを示す図である。
【００７６】
図１９のグラフは、両側点灯の場合、及び、ＬＥＤ１３ａ及びＬＥＤ１３ｂのうちＬＥＤ１３ａのみを点灯させた場合（片側点灯）の各場合において、導光板１６の出射面１６ａの長手方向（水平方向：Ｘ軸方向）の各位置と、各位置における輝度との関係を示す。図１９において、横軸は、水平方向における出射面１６ａの中心から各位置までの水平方向における距離（水平方向位置）を示し、縦軸は、輝度を示す。図１９のグラフにおいて、曲線５５は、両側点灯の場合の水平方向位置と輝度との関係を示し、曲線５６は、片側点灯の場合の水平方向位置と輝度との関係を示す。
【００７７】
図１９のグラフから分かるように、片側点灯の場合は、両側点灯させた場合と比較して、出射面１６ａのうち、点灯していないＬＥＤ１３ｂ側の輝度が低下する。
【００７８】
以上、第１の実施形態に係る面状照明装置１０について説明した。第１の実施形態に係る面状照明装置１０によれば、上述したように、配光分布及び輝度分布を容易に制御することができる。
【００７９】
また、第１の実施形態に係る面状照明装置１０によれば、ライトバー１４の両側に配置されたＬＥＤ１３ａ、１３ｂのうち、一方のＬＥＤが断線（消灯）して、他方のＬＥＤのみが点灯する場合であっても、ＬＥＤ１３ａ及びＬＥＤ１３ｂの両方のＬＥＤが点灯する場合の配光分布と略同等の配光分布を維持することができる。
【００８０】
（第１の実施形態の第１の変形例）
図２０は、第１の実施形態の第１の変形例を説明するための図である。第１の実施形態に係る面状照明装置１０は、図１に示すライトバー１４に代えて、図２０に示すライトバー１４０を備えてもよい。そこで、このような実施形態を、第１の実施形態の第１の変形例として説明する。ライトバー１４０は、平面である出射面１４０ｄを有する。また、ライトバー１４０は、第１部分１４０ａ、第２部分１４０ｂ及び第３部分１４０ｃを有する。第１部分１４０ａは、ライトバー１４０の長手方向（Ｘ軸方向）における一端（Ｘ軸のマイナス方向側の端）から、Ｘ軸のプラス方向側に向かうにつれて、幅（Ｙ軸方向における寸法）が狭くなる楔形状の部分である。第２部分１４０ｂは、ライトバー１４０の長手方向における他端（Ｘ軸のプラス方向側の端）から、Ｘ軸のマイナス方向側に向かうにつれて、幅が狭くなる楔形状の部分である。第３部分１４０ｃは、ＸＹ平面の断面視において矩形状となる部分であり、第１部分１４０ａと第２部分１４０ｂとを接続する。図２０に示すように、ＸＹ平面の断面視において、ライトバー１４０の形状は、長手方向における中心を通る線分であってＹ軸に平行な線分に対して線対称となる。
【００８１】
出射面１４０ｄには、上述した複数の第１のプリズム１４ｘ（図７参照）と同様のプリズムがライトバー１４０の短手方向（Ｚ軸方向（第１の方向））に形成される。また、ライトバー１４０の出射面１４０ｄとは反対側の面には、上述した複数の第４のプリズム１４ｕ（図５参照）と同様のプリズムがライトバー１４０の長手方向（Ｘ軸方向）に形成される。
【００８２】
（第１の実施形態の第２の変形例）
図２１は、第１の実施形態の第２の変形例を説明するための図である。第１の実施形態に係る面状照明装置１０は、図１に示すライトバー１４に代えて、図２１に示すライトバー１４１を備えてもよい。そこで、このような実施形態を、第１の実施形態の第２の変形例として説明する。ライトバー１４１は、平面である出射面１４１ｃを有する。また、ライトバー１４１は、第１部分１４１ａ及び第２部分１４１ｂを有する。第１部分１４１ａは、ライトバー１４１の長手方向（Ｘ軸方向）における一端（Ｘ軸のマイナス方向側の端）から、中心１４１ｄに向かうにつれて、幅（Ｙ軸方向における寸法）が狭くなる楔形状の部分である。第２部分１４１ｂは、ライトバー１４１の長手方向における他端（Ｘ軸のプラス方向側の端）から、中心１４１ｄに向かうにつれて、幅が狭くなる楔形状の部分である。図２１に示すように、ＸＹ平面の断面視において、ライトバー１４１の形状は、長手方向における中心を通る線分であってＹ軸に平行な線分に対して線対称となる。
【００８３】
出射面１４１ｃには、上述した複数の第１のプリズム１４ｘ（図７参照）と同様のプリズムがライトバー１４１の短手方向（Ｚ軸方向（第１の方向））に形成される。また、ライトバー１４１の出射面１４１ｃとは反対側の面には、上述した複数の第４のプリズム１４ｕ（図５参照）と同様のプリズムがライトバー１４１の長手方向（Ｘ軸方向）に形成される。
【００８４】
（第２の実施形態）
上述した第１の実施形態に係る面状照明装置１０では、ライトバー１４の両側にＬＥＤ１３ａ、１３ｂを配置した場合について説明したが、ライトバー１４の片側のみにＬＥＤを配置してもよい。そこで、このような実施形態を、第２の実施形態として説明する。なお、第２の実施形態の説明において、第１の実施形態と同様の構成については、同一の符号を付して説明を省略する場合がある。
【００８５】
図２２は、第２の実施形態に係る面状照明装置の正面図である。図２２に示すように、第２の実施形態に係る面状照明装置５０は、ライトバー１４に代えて、ライトバー１４２を有する点、及び、ライトバー１４２の片側のみにＬＥＤ１３ａを配置した点が、第１の実施形態に係る面状照明装置１０と異なる。
【００８６】
ＬＥＤ１３ａは、ライトバー１４２のＸ軸のマイナス方向側の入光面に対向して配置される。
【００８７】
ライトバー１４２は、平面である出射面１４２ｃを有する。また、ライトバー１４２は、第１部分１４２ａ及び第２部分１４２ｂを有する。第１部分１４２ａは、ライトバー１４２の長手方向（Ｘ軸方向）における一端（Ｘ軸のマイナス方向側の端）から、Ｘ軸のプラス方向側に向かうにつれて、幅（Ｙ軸方向における寸法）が狭くなる楔形状の部分である。第２部分１４２ｂも、同様に、ライトバー１４２の長手方向（Ｘ軸方向）における一端（Ｘ軸のマイナス方向側の端）から、Ｘ軸のプラス方向側に向かうにつれて、幅（Ｙ軸方向における寸法）が狭くなる楔形状の部分である。
【００８８】
出射面１４２ｃには、上述した複数の第１のプリズム１４ｘ（図７参照）と同様のプリズムがライトバー１４２の短手方向（Ｚ軸方向（第１の方向））に形成される。また、ライトバー１４２の出射面１４２ｃとは反対側の面には、上述した複数の第４のプリズム１４ｕ（図５参照）と同様のプリズムがライトバー１４２の長手方向（Ｘ軸方向）に形成される。
【００８９】
以上、第２の実施形態に係る面状照明装置５０について説明した。第２の実施形態に係る面状照明装置５０によれば、第１の実施形態に係る面状照明装置１０と同様に、配光分布及び輝度分布を容易に制御することができる。
【００９０】
（第２の実施形態の第１の変形例）
図２３は、第２の実施形態の第１の変形例を説明するための図である。第２の実施形態に係る面状照明装置５０は、図２２に示すライトバー１４２に代えて、図２３に示すライトバー１４３を備えてもよい。そこで、このような実施形態を、第２の実施形態の第１の変形例として説明する。ライトバー１４３は、平面である出射面１４３ｃを有する。また、ライトバー１４３は、第１部分１４３ａ及び第２部分１４３ｂを有する。第１部分１４３ａは、ライトバー１４３の長手方向（Ｘ軸方向）における一端（Ｘ軸のマイナス方向側の端）から、Ｘ軸のプラス方向側に向かうにつれて、幅（Ｙ軸方向における寸法）が狭くなる楔形状の部分である。第２部分１４３ｂは、ＸＹ平面の断面視において矩形状となる部分であり、第１部分１４３ａに接続される。
【００９１】
出射面１４３ｃには、上述した複数の第１のプリズム１４ｘ（図７参照）と同様のプリズムがライトバー１４３の短手方向（Ｚ軸方向（第１の方向））に形成される。また、ライトバー１４３の出射面１４３ｃとは反対側の面には、上述した複数の第４のプリズム１４ｕ（図５参照）と同様のプリズムがライトバー１４３の長手方向（Ｘ軸方向）に形成される。
【００９２】
（第２の実施形態の第２の変形例）
図２４は、第２の実施形態の第２の変形例を説明するための図である。第２の実施形態に係る面状照明装置５０は、図２２に示すライトバー１４２に代えて、図２４に示すライトバー１４４を備えてもよい。そこで、このような実施形態を、第２の実施形態の第２の変形例として説明する。ライトバー１４４は、平面である出射面１４４ａを有する。ライトバー１４４は、ライトバー１４４の長手方向（Ｘ軸方向）における一端（Ｘ軸のマイナス方向側の端）から、Ｘ軸のプラス方向側に向かうにつれて、幅（Ｙ軸方向における寸法）が狭くなる楔形状である。
【００９３】
出射面１４４ａには、上述した複数の第１のプリズム１４ｘ（図７参照）と同様のプリズムがライトバー１４４の短手方向（Ｚ軸方向（第１の方向））に形成される。また、ライトバー１４４の出射面１４４ａとは反対側の面には、上述した複数の第４のプリズム１４ｕ（図５参照）と同様のプリズムがライトバー１４４の長手方向（Ｘ軸方向）に形成される。
【００９４】
以上、各実施形態および各変形例について説明した。なお、上記各実施形態および各変形例により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の各実施形態および各変形例に限定されるものではなく、様々な変更が可能である。
【符号の説明】
【００９５】
１０、５０    面状照明装置
１１    ハウジングフレーム
１２ａ、１２ｂ    ＦＰＣ
１３ａ、１３ｂ  ＬＥＤ（光源）
１４、１４０、１４１、１４２、１４３、１４４    ライトバー
１４ａ、１４ｂ    入光面
１４ｃ、１４０ｄ、１４１ｃ、１４２ｃ、１４３ｃ、１４４ａ    出射面
１４ｄ    面
１５    プリズムシート
１５ａ    一面
１５ｂ    面
１６    導光板
１６ａ    出射面
１６ｂ    主面（面）
１６ｃ    入光面
１７    水平方向
１８    垂直方向
１９    進行方向
２０    線状光源
【図１】
2018055867.tif 000003
【図２】
2018055867.tif 000004
【図３】
2018055867.tif 000005
【図４】
2018055867.tif 000006
【図５】
2018055867.tif 000007
【図６】
2018055867.tif 000008
【図７】
2018055867.tif 000009
【図８Ａ】
2018055867.tif 000010
【図８Ｂ】
2018055867.tif 000011
【図９】
2018055867.tif 000012
【図１０】
2018055867.tif 000013
【図１１】
2018055867.tif 000014
【図１２】
2018055867.tif 000015
【図１３】
2018055867.tif 000016
【図１４】
2018055867.tif 000017
【図１５】
2018055867.tif 000018
【図１６】
2018055867.tif 000019
【図１７】
2018055867.tif 000020
【図１８】
2018055867.tif 000021
【図１９】
2018055867.tif 000022
【図２０】
2018055867.tif 000023
【図２１】
2018055867.tif 000024
【図２２】
2018055867.tif 000025
【図２３】
2018055867.tif 000026
【図２４】
2018055867.tif 000027